(57)【特許請求の範囲】
【請求項１】
移動機回路を構成するとともにデータを送受信するための電子機器側端子が設けられた電子機器回路を搭載してケース本体内に配置される多層基板からなる電子機器用基板と、
この電子機器用基板の表面にまたは多層基板の一層として取付けられる絶縁基板上に、誘導電磁界を伝送媒体としてデータ送受信するアンテナコイルを設けるとともに、該アンテナコイルに接続するアンテナ端子、及び前記電子機器側端子と接続される仲介端子が設けられたアンテナ基板と、
このアンテナ基板に着脱可能に設けられ、装着したとき前記アンテナ端子にカード側アンテナ端子を介して接続されて他の電子機器のリーダ／ライタとの間で非接触式によりデータ送受信を可能とし、かつ前記仲介端子にカード側端子を介して前記電子機器回路に接続されて該電子機器回路との間で接触式でデータ送受信を可能とし、前記アンテナ基板から取り外されたとき接触式ＩCカードとして単独で使用可能となるＩＣチップを搭載したカード基板と、
を備えたことを特徴とする携帯型電子機器。
【発明の詳細な説明】
【０００１】
【発明の属する技術分野】
本発明は、誘導電磁界を伝送媒体としてデータ送受信するためのアンテナコイルを設けたアンテナ基板に、ＩＣチップを搭載したカード基板を装着できるようにした携帯型電子機器に関するものである。
【０００２】
【従来の技術】
移動体通信技術の進展にともない、携帯電話機等の携帯型電子機器は、ますます軽量小型化するとともに、音声通話だけでなくデータの送受信ができるようになり、多くの人が所持し大幅に普及している。一方、近年では、誘導電磁界を伝送媒体として情報伝達する非接触式ＩＣカードが提案され、例えば、自動改札機との通信機能を付加するとともに乗車券データを格納した非接触式ＩＣカードを利用して、自動改札機にかざすだけで改札できるシステム等も検討されている。この種の非接触式ＩＣカードは、ＩＣチップを搭載した基板にループ状のアンテナコイルが取付けられているものである。
【０００３】
【発明が解決しようとする課題】
携帯電話機等に他のリーダ／ライタとの間において非接触式でデータ送受信できる機能を持たせるために、非接触式ＩＣカードを携帯電話機等の筐体やフリッパ等に装着することができるが、誘導電磁界を伝送媒体とするためのアンテナ部分の実装における組立工程が煩雑になりるおそれがあった。また、通常の非接触式ＩＣカードをそのまま使用した場合には、アンテナ部分の大きさの制限により、携帯電話機等にそのまま装着できないこともあった。さらに、一般的なＩＣカードでは、単独で表示部を持たないため、格納されているデータを簡単に表示させることができなかった。
【０００４】
本発明は上記事情に鑑みなされたもので、組立工程を簡略化できるとともに、非接触でデータ送受信するためのＩＣチップの装着も簡単になる携帯型電子機器を提供することを目的とする。
【０００５】
本発明の他の目的は、一般的に使用されているＩＣカードが装着でき、そのＩＣカードに格納されているデータを読み出し表示部に表示することができる携帯型電子機器を提供することを目的とする。
【０００６】
【課題を解決するための手段】
上記目的を達成するために請求項１記載の発明にあっては、移動機回路を構成するとともにデータを送受信するための電子機器側端子が設けられた電子機器回路を搭載してケース本体内に配置される多層基板からなる電子機器用基板と、この電子機器用基板の表面にまたは多層基板の一層として取付けられる絶縁基板上に、誘導電磁界を伝送媒体としてデータ送受信するアンテナコイルを設けるとともに、該アンテナコイルに接続するアンテナ端子、及び前記電子機器側端子と接続される仲介端子が設けられたアンテナ基板と、このアンテナ基板に着脱可能に設けられ、装着したとき前記アンテナ端子にカード側アンテナ端子を介して接続されて他の電子機器のリーダ／ライタとの間で非接触式によりデータ送受信を可能とし、かつ前記仲介端子にカード側端子を介して前記電子機器回路に接続されて該電子機器回路との間で接触式でデータ送受信を可能とし、前記アンテナ基板から取り外されたとき接触式ＩCカードとして単独で使用可能となるＩＣチップを搭載したカード基板と、を備えたことを特徴とするものである。アンテナコイルとＩＣチップとを別体にすることで、組立工程を簡略化できるとともに、このＩＣチップもアンテナコイルの大きさに制限されない形状等にでき装着も簡単になる。カード基板は、取り外して通常の接触式ＩＣカードとして使用することが可能になる。
【００１１】
【発明の実施の形態】
以下、本発明を図示の一実施形態により具体的に説明する。図1及び図２は本発明実施形態の携帯型電子機器を説明する図であり、図１は携帯型電子機器の回路基板構成を説明する斜視図、図２は携帯型電子機器の回路構成を説明するブロック図である。
【００１２】
これらの図面において、本実施形態の携帯型電子機器１は、そのケース本体２内に収納される電子機器回路１１を搭載した電子機器用基板１０と、この電子機器用基板１０の表面にまたは多層基板の一層として取付けられ、誘導電磁界を伝送媒体としてデータ送受信するためのアンテナ端子２２を設けたアンテナコイル２１、及び電子機器回路１１に有線で接続されデータ送受信するための仲介端子２３を設けたアンテナ基板２０と、このアンテナ基板２０に着脱可能に設けられ、装着したときアンテナコイル２１に接続され、他の電子機器のリーダ／ライタとの間で非接触式でデータ送受信を可能にするとともに、仲介端子２３を介して電子機器回路１１に接続され、その電子機器回路１１との間で接触式でデータ送受信を可能にする通常のＩＣカード等に用いられると同様のＩＣチップ３１を搭載したカード基板３０とから構成されている。また、この携帯電子機器のカード基板３０を取り外したとき、それに代えて接触式、または非接触式ＩＣカード４０が装着できるよう構成されている。
【００１３】
電子機器用基板１０は、携帯型電子機器１が、例えば、携帯電話機等の移動機のケース本体２内に配置される多層基板からなる移動機用基板であり、音声通話機能、データ通信機能及び表示部によるデータ表示機能等を実現するための電子機器回路１１を構成する移動機回路が搭載されている。この電子機器回路１１には、有線でカード基板３０のＩＣチップ３１とデータを送受信するための電子機器側端子１２が設けられている。
【００１４】
アンテナ基板２０は、電子機器用基板１０の表面に貼り付けて使用できる大きさに形成された絶縁基板、または電子機器用基板１０の多層基板の一層として配置される絶縁基板であり、その表面には誘導電磁界を伝送媒体としてデータ送受信するに適したループ状のアンテナコイル２１がエッチング等により形成されている。このアンテナ基板２０には、アンテナコイル２１の外周側及び内周側の端部に接続するアンテナ端子２２が設けられるとともに、データを電子機器回路１１と有線で送受信するための仲介端子２３が設けられている。この仲介端子２３は、例えば、配線２４により対応する電子機器側端子１２に接続されている。また、仲介端子２３は、電子機器側端子１２とコネクタを介して接続されるようにしてもよい。そして、これらのアンテナ端子２２及び仲介端子２３は、例えば、アンテナ基板２０の裏面側において後に詳細に説明するカード基板３０を装着したときに、対応するＩＣチップ３１の端子３５，３６に接続する構造及び端子配置に形成されている。
【００１５】
カード基板３０は、例えば、移動機等の携帯型電子機器１のケース本体２内に収納して装着できる大きさに形成されていることが好ましく、アンテナコイル２１にアンテナ端子２２を介して接続されて、非接触式でデータ送受信を可能にするとともに、仲介端子２３を介して電子機器回路１１に接続されて、接触式でデータ送受信を可能にするＩＣチップ３１が搭載されている。このＩＣチップ３１は、例えば、アンテナコイル２１を介してデータを送受信するための通信制御回路３１、データあるいは所定の手続きを実行するためのプログラムを格納するためのメモリ３２、電子機器回路１１との間でデータ送受信するためのインターフェース回路３３及び各部を制御するとともにプログラムに基づいたデータ処理を行うデータ制御回路３４等とから構成されている。そして、カード基板３０の表面には、通信制御回路３１に接続されるカード側アンテナ端子３５と、インターフェース回路３３に接続されるカード側端子３６とが設けられている。これらのカード側アンテナ端子３５及びカード側端子３６は、カード基板３０をアンテナ基板２０の裏面側に装着したとき、それぞれアンテナ基板２０に設けられたアンテナ端子２２及び仲介端子２３に接続される構造と配置に形成されている。このような接続される構造としてコネクタを使用することができる。
【００１６】
また、本発明の携帯型電子機器１のカード基板３０は、少なくともカード側端子３６の配置やそれに接続されるＩＣチップ３１が、一般的に使用されている接触式ＩＣカードとして単独で使用可能なものとなっている。
【００１７】
さらに、本発明の携帯型電子機器１は、カード基板３０を取り外したとき、アンテナ基板２０には、そのカード基板３０に代わって少なくとも仲介端子２３に接続される端子４１を有する接触式、または非接触式ＩＣカード４０が装着可能となっている。
【００１８】
さらにまた、カード基板３０のカード側アンテナ端子３５及びカード側端子３６は、規格化されたＩＣカードの端子と同じ端子配置を有し、その中のカード側アンテナ端子３５は、対応するＩＣカードの端子の中で将来の拡張のために使用しないで空いている予備端子が用いられている。
【００１９】
上記構成の携帯型電子機器１では、電子機器回路１１を搭載した電子機器用基板１０の表面に、非接触式でデータを送受信するためのアンテナコイル２１を設けたアンテナ基板２０が取付けられ、このアンテナ基板２０にＩＣチップ３１を搭載したカード基板３０を装着すると、ＩＣチップ３１の通信制御回路３１がカード側アンテナ端子３５からアンテナ端子２２を介してアンテナコイル２１に接続され、同時にインターフェース回路３３がカード側端子３６、仲介端子２３、配線２４及び電子機器側端子１２を介して電子機器回路１１に接続されるため、アンテナコイル２１により誘導電磁界を伝送媒体としてデータ送受信でき、またＩＣチップ３１と電子機器回路１１との間でデータ送受信できる。したがって、例えば、メモリ３２に定期券データを格納し自動改札機に携帯型電子機器１をかざすだけで改札ができ、また定期券データの内容を電子機器回路１１に送信し、その表示機能を利用して表示させることができる。また、アンテナ基板２０は、アンテナコイル２１とアンテナ端子２２及び仲介端子２３を設け、電子機器用基板１０の表面に貼り付けるか、あるいは多層基板の一層として配置することで取付けが簡単になり、カード基板３０にＩＣチップ３１と同時に組み込む必要がなくなり、組立工程を簡略化することができ、かつカード基板３０の大きさもアンテナコイル２１に必要な大きさに制限されることがなくなる。さらに、アンテナ基板２０の仲介端子２３に、カード基板３０に代えて、端子４１を有し接触式、または非接触式でデータ送受信できるＩＣチップ４２を搭載したＩＣカード４０を接続できるよう構成すれば、ＩＣカード４０を同時に使用することが可能になり、そのＩＣカード４０に格納されているデータを読み出して表示部に表示することができる。
【００２０】
なお、上記実施形態において、携帯型電子機器１を携帯電話機等の移動機を例に説明したが、例えば、電子システム手帳、パーソナル通信機等の個人向け携帯情報機器についても適用できる。また、データ送受信のための電子機器側端子１２、仲介端子２３、カード側端子３６は、必要により対応するよう複数箇所設けることができ実施形態に限定されず、アンテナ基板２０及びカード基板３０は、一般的な携帯電子機器のケース本体に収納できる大きさ、形状に形成されていることが好ましい。さらに、アンテナ基板２０へのカード基板３０の装着、あるいは他のＩＣカード装着のための形状や構造については任意にできる。さらにまた、アンテナ基板２０に非接触式及び接触式の両者の機能を持つＩＣカード（コンビ型ＩＣカード）を装着すれば、そのＩＣカードの機能を有効に使用することが可能になり、このアンテナ基板２０の受動部品にコンビ型ＩＣカードを装着するだけで、駅の窓口や自動改札機において定期券やチケットとして利用することができる。
【００２１】
【発明の効果】
以上説明したように本発明では、電子機器回路を搭載した電子機器用基板と、この電子機器用基板の表面にまたは多層基板の一層として取付けられる絶縁基板上にアンテナコイルを設けたアンテナ基板と、このアンテナ基板に装着したときアンテナ端子を介してアンテナコイルに接続されて、他の電子機器のリーダ／ライタとの間で非接触式によりデータ送受信するとともに、仲介端子を介して電子機器回路に接続されて、その電子機器回路との間で接触式でデータ送受信するＩＣチップを搭載したカード基板とを備えたことで、アンテナコイルとＩＣチップとを別体にして組立工程を簡略化できるとともに、ＩＣチップもアンテナコイルの大きさに制限されない形状等にでき装着も簡単になる。また、カード基板は接触式ＩＣカードとして使用することができるよう構成したり、アンテナ基板にカード基板に代えて接触式、または非接触式ＩＣカードが装着可能にすれば、一般的なＩＣカードが使用でき、そこに格納されているデータを読み出して表示することができる。
【図面の簡単な説明】
【図１】本発明実施形態の携帯型電子機器の回路基板構成を説明する斜視図である。
【図２】本発明実施形態の携帯型電子機器の回路構成を説明するブロック図である。
【符号の説明】
１  携帯型電子機器
２  ケース本体
１０  電子機器用基板
１１  電子機器回路
１２  電子機器側端子
２０  アンテナ基板
２１  アンテナコイル
２２  アンテナ端子
２３  仲介端子
２４  配線
３０  カード基板
３１  ＩＣチップ
３２  メモリ
３３  インターフェース回路
３４  データ制御回路
３５  カード側アンテナ端子
３６  カード側端子
４０  ＩＣカード
４１  端子
４２  ＩＣチップ
【図１】
0003806591.tif 000002
【図２】
0003806591.tif 000003